(57)【要約】      （修正有）【課題】透析を受けている患者の精神的な不安や苦痛を和らげるための血液透析装置用サブ表示ユニット及び該ユニットを備える血液透析装置を提供する。【解決手段】表示ユニットを有する血液透析装置用の前記表示ユニットとは異なる血液透析装置用サブ表示ユニット３０であって、少なくとも現在の時間を表示する時刻表示部４８と透析が終了するまでに必要な時間を表示する透析残時刻表示部５０を有し、被透析者が透析状況を自ら把握できる。【選択図】図２
0003177102.tif 000002
【実用新案登録請求の範囲】
【請求項１】
表示ユニットを有する血液透析装置用の前記表示ユニットとは異なる血液透析装置用サブ表示ユニットであって、少なくとも現在の時間を表示する時刻表示部と透析が終了するまでに必要な時間を表示する透析残時刻表示部を有し、被透析者が透析状況を自ら把握できることを特徴とする血液透析装置用サブ表示ユニット。
【請求項２】
被透析者の最高血圧値と最低血圧値を表示する血圧表示部と、脈拍数を表示する脈拍数表示部と、透析が終了する予定時間を表示する透析終了時刻表示部とを有することを特徴とする請求項１記載の血液透析装置用サブ表示ユニット。
【請求項３】
被透析者の体の中に残っている水分残量を表示する水分残量表示部と、透析終了後の止血までの残時間を表示する止血残時間表示部とを有することを特徴とする請求項１又は請求項２記載の血液透析装置用サブ表示ユニット。
【請求項４】
緊急事態が発生したとき医師又は看護師に連絡する緊急ボタンを有することを特徴とする請求項１ないし３のいずれか１項記載の血液透析装置用サブ表示ユニット。
【請求項５】
表示ユニットを有する血液透析装置であって、請求項１ないし４のいずれか１項記載の血液透析装置用サブ表示ユニットを備えることを特徴とする血液透析装置。
【考案の詳細な説明】
【技術分野】
【０００１】
本考案は、人工透析を受けている被透析者が目視できる血液透析装置用サブ表示ユニット及び該サブ表示ユニットを有する血液透析装置を備える血液透析装置に関する。
【背景技術】
【０００２】
従来、透析終了までの所要時間又は透析終了時刻を演算する演算部を設けるとともに、演算部で演算した透析終了までの所要時間又は透析終了時刻を表示する表示部を設けた透析装置が提案されている（例えば、特許文献１参照）。
【０００３】
このような従来の透析装置では、透析に立ち会う医師が透析の実施時間および目標除水量を決定して透析を開始すると、透析中に制御装置の表示部は演算部が演算した透析終了までの所要時間（あるいは透析終了時刻）を表示するので、医師は、表示部の表示内容から当初設定した透析の実施時間と制御部が演算した透析の終了時刻とのずれを認識することができ、透析の実施時間を制御部が演算した透析の終了時刻と一致するように短縮することができるという。
【先行技術文献】
【特許文献】
【０００４】
【特許文献１】特開平９−１９４９７号公報
【考案の概要】
【考案が解決しようとする課題】
【０００５】
しかしながら、上記したような従来の透析装置の表示部は、医者や看護師が専ら医療のために見るものである。被透析者に表示部を向けることも可能であるが、被透析者はそのことを看護師等に言い出しにくいため、結果として、透析を受けている患者は、透析時間や透析終了時間などを知ることができない。このことによって、被透析者は精神的な苦痛を受けているのが実情である。
【０００６】
本考案は、上述した課題を解決するものであり、その目的は、透析を受けている患者の精神的な不安や苦痛を和らげるための血液透析装置用サブ表示ユニット及び該ユニットを備える血液透析装置を提供することにある。
【課題を解決するための手段】
【０００７】
上記目的を達成するため、本考案の第１の観点では、表示ユニットを有する血液透析装置用の前記表示ユニットとは異なる血液透析装置用サブ表示ユニットであって、少なくとも現在の時間を表示する時刻表示部と透析が終了するまでに必要な時間を表示する透析残時刻表示部を有し、被透析者が透析状況を自ら把握できることを特徴とする血液透析装置用サブ表示ユニットを提供する。
【０００８】
このような構成の本考案の血液透析装置用サブ表示ユニットでは、少なくとも現在の時間と透析が終了するまでの時間を、被透析者が表示を見て知ることができるので、透析を受けている患者の精神的な不安や苦痛を和らげることができる。
【０００９】
上記態様では、被透析者の最高血圧値と最低血圧値を表示する血圧表示部と、脈拍数を表示する脈拍数表示部と、透析が終了する予定時間を表示する透析終了時刻表示部とを有することが好ましい。このような構成により、被透析者は自らの血圧値や脈拍数や透析時間を更に知ることができるので、被透析者の精神的な不安や苦痛を更に和らげることができる。
【００１０】
上記態様では、被透析者の体の中に残っている水分残量を表示する水分残量表示部と、透析終了後の止血までの残時間を表示する止血残時間表示部とを有することが好ましい。このような構成により、被透析者は水分残量や止血までの残時間を更に知ることができるので、被透析者の精神的な不安や苦痛を更に和らげることができる。
【００１１】
上記態様では、緊急事態が発生したとき医師又は看護師に連絡する緊急ボタンを有することが好ましい。このような構成により、被透析者は緊急時には緊急ボタンを押して医師や看護師を呼ぶことができるので、被透析者の精神的な不安や苦痛を更に和らげることができる。
【００１２】
本考案の第２の観点では、表示ユニットを有する血液透析装置であって、上記のいずれかの血液透析装置用サブ表示ユニットを備える血液透析装置を提供する。
【考案の効果】
【００１３】
本考案の血液透析装置用サブ表示ユニット及び該ユニットを備える血液透析装置によれば、透析を受けている患者がサブ表示ユニットの表示を見て現在の時間や透析が終了するまでに必要な時間などを知ることができ、被透析者は精神的な不安や苦痛を和らぐことができる。
【図面の簡単な説明】
【００１４】
【図１】本考案の一実施形態に係る血液透析装置の概略説明図である。
【図２】本考案の一実施形態に係る血液透析装置に備えられた血液透析装置用サブ表示ユニットの概念図である。
【考案を実施するための形態】
【００１５】
以下、本考案の実施形態について詳細に説明するが、本考案は、これに限定されて解釈されるものではなく、本考案の範囲を逸脱しない限りにおいて、当業者の知識に基づいて、種々の変更、修正、改良を加え得るものである。また、以下の実施形態において同一部材については同一の符号を付し、その重複する説明は省略する。
【００１６】
図１は、本考案の一実施形態に係る血液透析装置の概略説明図である。図１に示すように、血液透析装置１０は、血液透析器１２、血液回路１４、血液透析器１２の上流側に設けられた血液ポンプ１６、透析液供給回路１８、及び除水通路２２を含み、さらに制御装置２８と表示ユニット２６とサブ表示ユニット３０と入力部４６とを備えている。
【００１７】
血液透析装置１０は、制御装置２８によって制御され、表示ユニット２６とサブ表示ユニット３０は、この制御装置２８に電気的に接続されている。入力部４６は、制御装置２８、表示ユニット２６、及びサブ表示ユニット３０への条件及びデータの入力を行う。図中、２４は動脈側血液通路、３２は静脈側血液通路、３４は透析液供給回路、３６は透析液回収回路、４２は透析液ポンプ、４４は除水ポンプである。
【００１８】
透析器１２は、樹脂製の外装ケース（図示せず）の内部に設けた濾過膜である多数の中空糸（図示せず）で構成され、該中空糸の内部は血液回路１４と連通して血液が流れ、外装ケースと中空糸との間には透析液供給回路１８が連通して透析液が流れるようになっている。
【００１９】
血液回路１４は、被透析者の血液を透析器１２に供給する動脈側血液通路２４と透析器１２で透析された血液を被透析者に戻す静脈側血液通路３２から構成されている。これらの通路はシリコーン製のチューブで作られている。
【００２０】
動脈側血液通路２４には、その中間に血液を透析器１２へ送る血液ポンプ１６が設けられている。血液ポンプ１６はローラポンプであり、制御部２８によって作動が制御される。静脈側血液通路３２は、その一端が透析器１２に、他端が被透析者の血管に接続されている。
【００２１】
透析液回路１８は、新鮮な透析液を透析器１２に供給する透析液供給通路３４と、透析器１２を通過した使用済みの透析液を回収する透析液回収通路３６から構成されている。これら通路はシリコーン製のチューブで作られている。透析液供給通路３４には、その中間に新鮮な透析液を透析器１２に供給するための透析液ポンプ４２が設けられている。透析液ポンプ４２はローラポンプであり、制御部２８によって作動が制御される。
【００２２】
透析液回収通路３６は、上流部分が透析器１２に接続され、下流部分が２方向に分岐して、一方は透析液回収室（図示せず）に接続され、他方は除水通路２２に接続されている。そして、除水通路２２には使用済の透析液を排出させる除水ポンプ４４が設けられている。除水ポンプ４４はローラポンプであり、制御部２８によって作動が制御される。
【００２３】
図２は、一実施形態に係る血液透析装置に備えられた血液透析装置用サブ表示ユニットの概念図である。図２に示すように、血液透析装置用サブ表示ユニット（本明細書において単に「サブ表示ユニット」ということがある。）３０は、正面視矩形状の筐体３０ａの前面パネル３０ｂに、時刻表示部４８、透析残時刻表示部５０、血圧表示部５２，５４、脈拍数表示部５６、水分残量表示部５８、止血残時間表示部６０、及び透析終了時刻表示部６２を有する。
【００２４】
時刻表示部４８は現在の時間を表示する。透析残時刻表示部５０は、現在の時間から透析が終了するまでに必要な時間を表示する。最高血圧表示部５２は最高血圧値を、最低血圧表示部５４は最低血圧値を表示し、これらは血圧表示部を構成する。脈拍数表示部５６は患者の現在の脈拍数を表示する。
【００２５】
また、水分残量表示部５８は、透析中の患者の体の中に残っている水分量、つまり患者の血液中に残っている水分の量を表示する。止血残時間表示部６０は、透析終了後、針を抜かれた後の患者に貼られた張られたパッチを抜きことができるまでの残時間、つまり止血するまでの残時間を表示する。透析終了時刻表示部６２は、透析が終了する予定時間を表示する。
【００２６】
前面パネル３０ｂの下部には、緊急ボタン６４が備えられている。緊急ボタン６４は、緊急事態が発生したことを医師又は看護師に連絡するためのものである。被透析者は、緊急事態が発生したときには、この緊急ボタン６４を押すことで、例えばナースステーションに控えている医師又は看護師に連絡することができる。
図示しないが、血液透析装置用サブ表示ユニット３０は、被透析者が見て表示されている内容を把握して精神的な不安や苦痛を解消することができるように、前面パネル３０ｂを被透析者の方向に向けて設置される。
【００２７】
本考案に係る血液透析装置用サブ表示ユニット及び該ユニットを備える血液透析装置は、上述の実施の形態に限定されず、本考案の要旨を逸脱することなく、種々の構成を取り得ることは勿論である。例えば、血液透析装置用サブ表示ユニットは、図２に示すように、血液透析装置本体（図示せず）から独立した形態とは違って、血液透析装置本体あるいは制御装置に取り付けられた形態であっても、表示内容を被透析者が見ることができる向きに調整できる形態であればよい。
【産業上の利用可能性】
【００２８】
本考案に係る血液透析装置用サブ表示ユニット及び該ユニットを備える血液透析装置は、ヒトの腎臓の機能を人工的に代替する療法である血液透析療法に有用である。
【符号の説明】
【００２９】
１０  血液透析装置
１２  血液透析器
１４  血液回路
１６  血液ポンプ
１８  透析液供給回路
２２  除水通路２２
２４  動脈側血液通路
２６  表示ユニット
２８  制御装置
３０  サブ表示ユニット
３２  静脈側血液通路
３４  透析液供給回路
３６  透析液回収回路
４２  透析液ポンプ
４４  除水ポンプ
４６  入力部
４８  時刻表示部
５０  透析残時刻表示部
５２  最高血圧表示部（血圧表示部）
５４  最低血圧表示部（血圧表示部）
５６  脈拍数表示部
５８  水分残量表示部
６０  止血残時間表示部
６２  透析終了時刻表示部
【図１】
0003177102.tif 000003
【図２】
0003177102.tif 000004